(57)【要約】【課題】搬送中の記録媒体へのインクの付着を防止可能な、新たなインクジェット記録装置およびインクジェット記録方法を提供する。【解決手段】インクジェット記録装置１００は、記録ヘッド１１０の下側に設置される無端ベルト１３２を備え、無端ベルトを一方向に回転させて、無端ベルトの外周面に形成された記録媒体２００を一端側から記録ヘッド１１０を通過させて他端側に搬送するための搬送経路と、無端ベルト１３２が他端側から一端側に移動する範囲を含む戻り経路とが形成された搬送部１３０と、戻り経路において無端ベルトの外周面を清掃する清掃部１５０とを備える。ここで、清掃部１５０は、戻り経路において無端ベルト１３２の外周面に接する洗浄パネル１５２を備える。洗浄パネル１５２は、無端ベルト１３２が移動する方向に対して直交する方向に摺動する。また、洗浄パネル１５２は、着脱可能な複数の洗浄パネルから構成されている。【選択図】図１
2017024215.tif 000002
【特許請求の範囲】
【請求項１】
インクを吐出し、記録媒体に画像を記録可能なインクジェット記録装置であって、前記インクを吐出するノズルが形成された記録ヘッドと、
前記記録ヘッドの下側に設置される無端ベルトを備え、前記無端ベルトを一方向に回転させて、前記無端ベルトの外周面に形成された搬送面にセットされた前記記録媒体を一端側から前記記録ヘッドを通過させて他端側に搬送するための搬送経路と、前記無端ベルトが前記他端側から前記一端側に移動する範囲を含む戻り経路とが形成された搬送部と、
前記戻り経路において前記無端ベルトの前記外周面を清掃する清掃部とを備え、
前記清掃部は、前記戻り経路において前記無端ベルトの前記外周面に接触し、かつ前記無端ベルトが移動する方向に対して直交する方向に摺動するとともに、着脱可能な複数の洗浄パネルを備えることを特徴とするインクジェット記録装置。
【請求項２】
前記複数の洗浄パネルが前記無端ベルトの幅方向に連接して配置されていることを特徴とする請求項１に記載のインクジェット記録装置。
【請求項３】
前記洗浄パネルの前記無端ベルト幅方向の長さ（Ｗ２）と、前記記録媒体の幅方向の長さ（Ｗ３）との関係が、Ｗ３＜Ｗ２であることを特徴とする請求項１〜２のいずれか1項に記載のインクジェット記録装置。
【請求項４】
前記インクジェット記録装置がシリアル型インクジェット記録装置であることを特徴とする請求項１〜請求項３のいずれか1項に記載のインクジェット記録装置。
【請求項５】
前記洗浄パネルの前記無端ベルト搬送方向の長さが前記無端ベルトの送り幅よりも大きく、前記長さが調整可能であることを特徴とする請求項４に記載のインクジェット記録装置。
【請求項６】
インクを吐出するノズルが形成された記録ヘッドと、前記記録ヘッドの下側に設置される無端ベルトを備え、前記無端ベルトを一方向に回転させて、前記無端ベルトの外周面に形成された搬送面にセットされた記録媒体を一端側から前記記録ヘッドを通過させて他端側に搬送するための搬送経路と、前記無端ベルトが前記他端側から前記一端側に移動する範囲を含む戻り経路とが形成された搬送部と、前記戻り経路において前記無端ベルトの前記外周面に接触し、前記無端ベルトの前記外周面を清掃する清掃部とを備えるインクジェット記録装置によって、前記インクジェット記録装置に入力される画像データに基づき前記インクを吐出して、前記記録媒体に画像を記録するインクジェット記録方法であって、
前記インクジェット記録装置に、前記画像データを入力する画像データ入力工程と、
前記画像データ入力工程で入力された前記画像データに基づき、前記インクを前記記録ヘッドの前記ノズルから吐出して、前記記録媒体に前記画像を記録する画像記録工程と、
前記画像記録工程で前記無端ベルトの前記外周面に付着した前記インクを、前記清掃部が備える着脱可能な複数の洗浄パネルが、前記戻り経路において前記無端ベルトが移動する方向に対して直交する方向に摺動して払拭し、前記無端ベルトの前記外周面を清掃する清掃工程とを含むインクジェット記録方法。
【発明の詳細な説明】
【技術分野】
【０００１】
本発明は、インクジェット記録に関するものである。
【背景技術】
【０００２】
記録媒体への画像の記録に際し、インクジェット記録装置が用いられており、インクジェット記録に関する技術（構成）が提案されている。例えば、記録媒体をベルトによって搬送するための搬送手段と、記録媒体を載置する位置の上流にあって記録媒体の両端部近傍が載置されている個所を清掃する清掃部材と、を有する画像記録装置が提案されている（例えば、特許文献１参照）。
【０００３】
また、洗浄ユニットが搬送ベルトの移動方向と交差する交差方向に延びる軸部を含み、洗浄ユニットが交差方向に移動可能であり、搬送ベルトの交差方向の両側に突出可能に配置されている液滴噴射装置が提案されている（例えば、特許文献２参照）。
なお、特許文献１〜特許文献２の他にも、多くの技術が提案されている（例えば、特許文献３，特許文献４参照）。
【先行技術文献】
【特許文献】
【０００４】
【特許文献１】特開２００７−０１５３１８号公報
【特許文献２】特開２０１４−０３４１４１号公報
【特許文献３】特開２００６−１９８９８８号公報
【特許文献４】特開２００２−２９６９２１号公報
【発明の概要】
【発明が解決しようとする課題】
【０００５】
上記特許文献１〜特許文献４によって提案された技術から明らかなとおり、インクジェット記録装置で複数の記録媒体に画像を記録（インクジェット記録）する場合、先の記録において搬送部の外周面に付着したインクが、搬送中の記録媒体に付着する（記録媒体を汚染する）ことを防止するため、搬送部を清浄な状態に保つ必要がある。
【０００６】
本発明は、搬送中の記録媒体へのインクの付着を防止可能な、新たなインクジェット記録装置およびインクジェット記録方法を提供することを目的とする。
【課題を解決するための手段】
【０００７】
本発明を反映した第１の課題解決手段は、インクを吐出し、記録媒体に画像を記録可能なインクジェット記録装置であって、前記インクを吐出するノズルが形成された記録ヘッドと、  前記記録ヘッドの下側に設置される無端ベルトを備え、前記無端ベルトを一方向に回転させて、前記無端ベルトの外周面に形成された搬送面にセットされた前記記録媒体を一端側から前記記録ヘッドを通過させて他端側に搬送するための搬送経路と、前記無端ベルトが前記他端側から前記一端側に移動する範囲を含む戻り経路とが形成された搬送部と、前記戻り経路において前記無端ベルトの前記外周面を清掃する清掃部とを備え、前記清掃部は、前記戻り経路において前記無端ベルトの前記外周面に接触し、かつ前記無端ベルトが移動する方向に対して直交する方向に摺動するとともに、着脱可能な複数の洗浄パネルを備えることを特徴とするインクジェット記録装置である。
【０００８】
これによれば、無端ベルトの内周面側へのインクの回り込みを防止しつつ、無端ベルトの外周面に付着したインクを、洗浄パネルによって払拭することが可能で、無端ベルトの外周面を清浄な状態に維持することができる。
【０００９】
第２の課題解決手段は、第１の課題解決手段のインクジェット記録装置であって、前記複数の洗浄パネルが前記無端ベルトの幅方向に連接して配置されていることを特徴とする。これによれば、洗浄パネルが磨耗して交換が必要な場合でも、全部を取り替えなくても磨耗した洗浄パネルだけを容易に交換する事ができる。そして、好適な払拭を実現することができる。
【００１０】
第３の課題解決手段は、第１または第２の課題解決手段のインクジェット記録装置であって、前記洗浄パネルの前記無端ベルト幅方向の長さ（Ｗ２）と、前記記録媒体の幅方向の長さ（Ｗ３）との関係が、Ｗ３＜Ｗ２であることを特徴とする。これによれば、記録媒体へのインクの再付着を十分防止出来ると共に、無端ベルトを効率よく洗浄することができる。
【００１１】
第４の課題解決手段は、第１〜第３の課題解決手段のインクジェット記録装置であって、前記インクジェット記録装置がシリアル型インクジェット記録装置であることを特徴とする。これによれば、無端ベルトが停止している間にインクを捕集することができる。
【００１２】
第５の課題解決手段は、第４の課題解決手段のインクジェット記録装置であって、前記洗浄パネルの前記無端ベルト搬送方向の長さが前記無端ベルトの送り幅よりも大きく、前記長さが調整可能であることを特徴とする。
【００１３】
これによれば、無端ベルトが止まっている間に少なくとも1回摺動させるだけで効率良くインクを払拭できる。
【００１４】
第６の課題解決手段は、インクを吐出するノズルが形成された記録ヘッドと、前記記録ヘッドの下側に設置される無端ベルトを備え、前記無端ベルトを一方向に回転させて、前記無端ベルトの外周面に形成された搬送面にセットされた記録媒体を一端側から前記記録ヘッドを通過させて他端側に搬送するための搬送経路と、前記無端ベルトが前記他端側から前記一端側に移動する範囲を含む戻り経路とが形成された搬送部と、前記戻り経路において前記無端ベルトの前記外周面に接触し、前記無端ベルトの前記外周面を清掃する清掃部とを備えるインクジェット記録装置によって、前記インクジェット記録装置に入力される画像データに基づき前記インクを吐出して、前記記録媒体に画像を記録するインクジェット記録方法であって、前記インクジェット記録装置に、前記画像データを入力する画像データ入力工程と、前記画像データ入力工程で入力された前記画像データに基づき、前記インクを前記記録ヘッドの前記ノズルから吐出して、前記記録媒体に前記画像を記録する画像記録工程と、  前記画像記録工程で前記無端ベルトの前記外周面に付着した前記インクを、前記清掃部が備える着脱可能な複数の洗浄パネルが、前記戻り経路において前記無端ベルトが移動する方向に対して直交する方向に摺動して払拭し、前記無端ベルトの前記外周面を清掃する清掃工程とを含むインクジェット記録方法である。これによれば、無端ベルトの外周面を清浄な状態に維持しつつ、記録媒体に画像を記録することができる。
【発明の効果】
【００１５】
本発明によれば、搬送中の記録媒体へのインクの付着を防止可能な、新たなインクジェット記録装置およびインクジェット記録方法を得ることができる。
【図面の簡単な説明】
【００１６】
【図１】（ａ）はインクジェット記録装置の平面図であり、（ｂ）はインクジェット記録装置の側面図である。
【図２】洗浄パネルと無端ベルトの外周面との配置関係を説明する図である。
【発明を実施するための形態】
【００１７】
本発明を反映した上記課題解決手段を実施するための実施形態について、図面を用いて以下に詳細に説明する。上記課題解決手段は以下に記載の構成に限定されるものではなく、同一の技術的思想において種々の構成を採用することができる。例えば、以下に説明する各構成において、いずれかの構成を省略することができる。
【００１８】
インクジェット記録装置１００について、図１を参照して説明する。なお、図１は、インクジェット記録装置１００の概略構成を示した図である。インクジェット記録装置１００は、走査型のインクジェット記録装置である。インクジェット記録装置１００は、記録ヘッド１１０と記録ヘッド移動部１２０と搬送部１３０と清掃部１５０とを備える。
【００１９】
記録ヘッド１１０には、画像の記録に用いるインクを吐出するノズルが、搬送部１３０で搬送される記録媒体２００に、詳細には、後述する搬送面１３６に対向して複数形成されている。記録ヘッド１１０は、キャリッジ１１２に、複数個搭載されている。例えば、図１では、シアン（Ｃｙａｎ）、マゼンタ（Ｍａｇｅｎｔａ）、イエロー（Ｙｅｌｌｏｗ）、ブラック（ｂｌａｃＫ）の色毎に、記録ヘッド１１０が搭載されている。なお、１色につき、複数の記録ヘッド１１０を搭載してもよい。例えば、１色につき２個の記録ヘッド１１０とする場合、合計８個（４色）の記録ヘッド１１０が搭載される。
【００２０】
記録ヘッド移動部１２０は、複数の記録ヘッド１１０が取り付けられたキャリッジ１１２を、主走査方向に往復移動（走査）する（図１（ａ）の「主走査方向」参照）。これによって、記録ヘッド１１０の主走査方向への移動が実現される。
【００２１】
搬送部１３０は、無端ベルト１３２と、例えば無端ベルト１３２の両端に配置された、回転機構１３４Ａ，１３４Ｂとで構成される。無端ベルト１３２は、環状（無端）のベルト部材であって、画像の記録に用いるインクが浸透し難い構造（表面が平滑）を有する。無端ベルト１３２は、インクが浸透し難い材質、例えば帯状のゴム製基材や樹脂基材を用い、これの両端部を突き合わせ、または重ね合わせて、融着、接着などの手法によって接続して形成されている。
【００２２】
搬送部１３０の回転機構１３４Ａ，１３４Ｂは、例えば、ドライブプーリ（回転機構１３４Ａ）とドリブンプーリ（回転機構１３４Ｂ）とによって構成される。
【００２３】
回転機構１３４Ａ，１３４Ｂが一方向（図１（ｂ）の矢印「１」参照）に回転すると、無端ベルト１３２は、搬送経路において搬送部１３０の一端側（回転機構１３４Ｂ側）から他端側（回転機構１３４Ａ側）に移動し（図１（ｂ）の矢印「２」参照）、戻り経路において他端側から一端側に移動する（図１（ｂ）の矢印「３」参照）。また、無端ベルト１３２のこのような移動にともない、搬送面１３６にセットされた記録媒体２００が、搬送部１３０の搬送経路を一端側から他端側に、記録ヘッド１１０などを通過して搬送される（図１（ａ）の「搬送方向」参照）。
【００２４】
ここで、搬送経路とは、記録媒体２００がセットされる位置（図１（ｂ）でニップロール１４２とニップロール当てプーリ１４４に導かれ無端ベルト１３２と接触する記録媒体２００の位置参照）から、記録ヘッド１１０を通過し、記録媒体２００が取り除かれる位置（図１（ｂ）で剥離ロール１４６により無端ベルト１３２から解放される記録媒体２００の位置参照）までの範囲をいう（図１（ｂ）参照）。また、戻り経路とは、無端ベルト１３２の外周面から搬送経路を除いた範囲をいう（図１（ｂ）参照）。
【００２５】
無端ベルト１３２の戻り経路、具体的には、戻り経路の入口側（回転機構１３４Ａ側）であって、回転機構１３４Bの上流側の範囲には、清掃部１５０が配置されている。清掃部１５０は、洗浄パネル１５２とシャワーパイプ１５４とインク受部１５８と、吸水ロール１６２を備える。洗浄パネル１５２は、無端ベルト１３２の外周面に接触し、これに付着したインクを払拭する。洗浄パネル１５２は、繊維の束が林立するブラシ部１６６を有し、無端ベルト１３２の外周面との接触（当接）状態を維持するために、ナイロン繊維などで形成される。洗浄パネル１５２は、着脱可能に複数枚が取り付け機構１６０に取り付けられている。（図２参照）
【００２６】
取付機構１６０は、洗浄パネル１５２を水平方向に摺動 (図２の矢印「６」参照）可能な状態で取り付けるための構成を備えている。例えば、エアシリンダ１６８と接続する事により、洗浄パネル１５２を、無端ベルト１３２の外周面の水平方向に対して追従させることができる。なお、取付機構１６０は、洗浄パネル１５２を固定する固定機構を備える。例えば摩耗して取替時期を迎えた洗浄パネル１５２を交換する際、作業者は、この固定機構を解除することで、洗浄パネル１５２を抜き取ることができる。新たな洗浄パネル１５２を取り付ける際は、洗浄パネル１５２を差し込み、固定機構を介して洗浄パネル１５２を固定する。固定機構としては例えば図示しないビス、ボルト、あるいはクランプ等があげられる。
【００２７】
洗浄パネル１５２の無端ベルト搬送方向の長さは間欠搬送時の無端ベルト１３２の送り幅よりも大きく設定する。これによれば、無端ベルトが止まっている間に少なくとも1回摺動させるだけで効率良くインクを払拭できる。さらに、ベルトの搬送方向に複数の洗浄パネル１５２を連接させることにより、搬送方向の長さを調整することができる。また、洗浄パネル１５２の大きさを変えたりしてもよい。例えば、インク汚れが付着しやすい無端ベルト１３２の端縁部については、摺動回数を稼ぐために中央部に対して搬送方向の長さを大きくしてもよい。端縁部の搬送方向における洗浄パネル１５２の長さは中央部の整数倍が好ましい。これによれば、インクジェット記録装置１００が記録ヘッド１１０で記録し無端ベルト１３２が静止している間に清掃を的確に終了させる事ができる。
【００２８】
なお、インクジェット記録装置１００で、同一の画像を多数記録する場合などにおいては、無端ベルト１３２の外周面へのインクの付着の形態は、一定のパターンに収束し、大局的に見た場合、インクが付着する位置および量を特定することができる。このような場合であっても、本発明のインクジェット記録装置１００は、好適なインクの払拭を実現する点において、特にその効果を発揮する。
【００２９】
洗浄パネル１５２と無端ベルト１３２の外周面との配置関係を、図２を参照して説明する。なお、図２は、図１（ｂ）に記載のＺ方向から視た図である。また、図２では、洗浄パネル１５２、記録媒体２００、および無端ベルト１３２などを示し、その他この説明に関連しない構成については省略する。さらに、図２で矢印「３」は、図１（ｂ）の矢印「３」に対応する。
【００３０】
洗浄パネル１５２は、無端ベルト１３２が移動する方向（図１（ｂ）の矢印「３」参照）に対して直交する方向に配置されている。ここで、洗浄パネル１５２の幅（投影幅）（Ｗ２）は、無端ベルト１３２が移動する方向に対して直交方向に配置された状態で、記録媒体２００の幅（Ｗ３）より広く、洗浄パネル１５２の両端１５２Ｍ，１５２Ｎは、この記録媒体２００の幅を超えた範囲に配置されている。
【００３１】
説明を図１に戻す。シャワーパイプ１５４は、洗浄パネル１５２の上流側に配置され、それから噴出する液体は洗浄パネル１５２に付着したほこりなどの固体を除去する。シャワーパイプ１５４から噴出する液体は、洗浄パネル１５２の幅（Ｗ２）（図２参照）より広い範囲（幅）で、洗浄パネル１５２に付着した固体を除去する。シャワーパイプ１５４は、耐久性を有する鋼管または塩ビ管など液体を吹き付け可能な物によって形成され、例えばクランプ部材を備える所定の取付機構（図１で図示を省略）に取り付けられる（挟まれて保持される）。
【００３２】
なお、洗浄パネル１５２にはブラシ部１６６があり圧縮性を有するため、無端ベルト１３２の外周面との間で、初期のクリアランス調整を厳密に行う必要がない一方、このようなクリアランス調整を行うことなしに、固体除去機能を発揮することができる。ただし、無端ベルト１３２の外周面への洗浄パネル１５２（ブラシ部１６６）の接触量を調整するために、インク受部１５８にエアシリンダ１６４を取り付けた調整機構を設けた構成としてもよい。このような調整機構によれば、洗浄パネル１５２は、より好適にその機能を発揮することができる。
【００３３】
さらに、洗浄パネル１５２同士の繋ぎ目には払拭したインクを流すための図示しない隙間を設けてもよい。このような構成によれば、洗浄パネル１５２の汚染を少なくし清潔に保つことができる。隙間の大きさについては５〜３０ｍｍ程度が好ましい。
【００３４】
また、洗浄パネル１５２には払拭したインクを流すための図示しない貫通孔を開けておいてもよい。貫通孔は洗浄パネル１５２の中央部に開けてあるのが好ましい。このような構成によれば、洗浄パネル１５２の汚染を少なくし清潔に保つことができる。さらに、洗浄パネル１５２の軽量化も図ることができる。
【００３５】
インク受部１５８は、洗浄パネル１５２とシャワーパイプ１５４と吸水ロール１６２の下側にあって、無端ベルト１３２の外周面に付着し、洗浄パネル１５２によって払拭などされ、滴下したインクを受けて捕集する。また、インク受部１５８はエアシリンダ１６８及び取付機構１６０（あるいは洗浄パネル１５２）を図示しないガイドや内側の受け部を介して支える役割も有している。インク受部１５８は、洗浄パネル１５２の幅（Ｗ２）より幅広であり、無端ベルトの幅（Ｗ１）以上の幅（幅（Ｗ１，Ｗ２）と同一方向の長さ）を有する。なお、インク受部１５８に、捕集したインク量を検出する検出センサを備え、所定量以上のインクが捕集されたことを報知するようにしてもよい。これによれば、捕集したインクの量を管理し、好適なタイミングでインク受部１５８のメンテナンスを行うことができる。また、インク受部１５８は、洗浄パネル１５２などによって払拭されたインクが捕集されたインク溜まりに滴下した際の跳ね返りを防止するための部材または飛散を防止するための部材を備えるようにしてもよい。これによれば、好適にインクを捕集することができる。
【００３６】
なお、清掃部１５０において、洗浄パネル１５２は、無端ベルト１３２の外周面に下方側から接触する。そこで、清掃部１５０は、洗浄パネル１５２が接触する範囲において無端ベルト１３２の位置を規制する目的で、無端ベルト１３２の内周面に接触し、その位置を規制するカウンタ部材（カウンタプレート／図示を省略）を備えるようにしてもよい。
【００３７】
インクジェット記録装置１００に、通信可能に接続されたパーソナルコンピュータなどの外部装置から画像データが入力されたとき、インクジェット記録装置１００の制御部は、搬送部１３０を制御し、搬送部１３０の搬送面１３６にセットされた記録媒体２００の搬送を開始する。また、制御部は、搬送部１３０によって記録媒体２００が記録ヘッド１１０まで搬送されたタイミングで、入力された画像データに基づき、記録ヘッド１１０のノズルからインクを吐出して記録媒体２００に画像を記録する。具体的には、制御部は、記録ヘッド移動部１２０を動作させ、入力された画像データに基づき、キャリッジ１１２（記録ヘッド１１０）の移動に同期した所定のタイミングで、記録ヘッド１１０のノズルからインクが吐出されるよう制御し、記録媒体２００に画像を記録する。
【００３８】
記録媒体２００が記録ヘッド１１０を通過し、上述した搬送経路の末端部まで搬送され剥離ロール１４６によって取り除かれたとき（図１（ｂ）に示す記録媒体２００参照）、無端ベルト１３２の外周面は、洗浄パネル１５２などを備える清掃部１５０で清掃される。すなわち、洗浄パネル１５２などによって、無端ベルト１３２の外周面に付着したインクや、埃（記録媒体が布帛の場合は毛羽、糸屑）などが払拭される。
【００３９】
（本実施形態の構成による有利な効果）
本実施形態の構成によれば、次に記載の有利な効果を得ることができる。
【００４０】
（１）インクジェット記録装置１００では、画像の記録に用いるインクが浸透し難い構造の無端ベルト１３２を採用した。これによれば、無端ベルト１３２の外周面に付着したインクが無端ベルト１３２に浸透することを防止することが可能で、戻り経路において、清掃部１５０で付着したインクを好適に清掃することが可能で、無端ベルト１３２の外周面を正常な状態に維持することができる。
【００４１】
（２）インクジェット記録装置１００では、洗浄パネル１５２の幅（Ｗ２）が、記録媒体２００の幅（Ｗ３）より広く、洗浄パネル１５２の両端１５２Ｍ，１５２Ｎが、この記録媒体２００の幅（Ｗ３）を超えた範囲に配置される構成とした。これによれば、洗浄パネル１５２によって払拭されたインクが、仮に滴下せずに無端ベルト１３２の外周面に残存したとしても、記録媒体２００の幅（Ｗ３）より外側（無端ベルト１３２の両辺側）まで払拭されているため、適切な位置（搬送面１３６）に記録媒体２００をセットすれば、記録媒体２００にインクが付着することを防止することができる。
【００４２】
（変形例）
本実施形態の構成は、各種の点を考慮し、次に記載の構成とすることもできる。
【００４３】
（１）上記では、インクジェット記録装置１００が、走査型のインクジェット記録装置である場合を例として説明した。しかし、本実施形態の構成は、走査型のインクジェット記録装置の他、ライン型のインクジェット記録装置についても採用することができる。ライン型のインクジェット記録装置では、無端ベルトが等速で回転しており、したがって、戻り経路（図１（ｂ）参照）において、無端ベルト（図１の符号１３２参照）の外周面に付着したインクを、清掃部（図１（ｂ）の符号１５０参照）で好適に清掃することができる。
【００４４】
（２）上記では、無端ベルト１３２を、例えばゴムや樹脂などの可撓性基材によって形成し、これによって、インクが浸透し難い構造を実現した。しかし、このような構造とは異なる構造であっても、インクが浸透し難い構造を有する無端ベルト１３２であれば、インクジェット記録装置１００に採用することができる。
【００４５】
（３）上記では、洗浄パネル１５２について、記録媒体２００の幅（Ｗ３）を基準とした構成を例に説明した（図２参照）。この他、洗浄パネル１５２の幅（Ｗ２）を、インクジェット記録装置１００で適切に画像を記録できる最大幅（主走査方向の幅）、換言すれば、主走査方向の記録可能領域より広くした構成としてもよい。これによれば、記録媒体２００のサイズを変更した場合においても、特に洗浄パネル１５２を、幅（Ｗ２）の異なる洗浄パネル１５２に変更することなく、上記同様に無端ベルト１３２の外周面に付着したインクを好適に払拭することができる。
【００４６】
なお、上記変形例（１）のようなライン型のインクジェット記録装置である場合、記録ヘッドは主走査方向に移動しない。したがって、適切に画像を記録できる最大幅（主走査方向の記録可能領域）は、主走査方向に平行に配置される記録ヘッドに形成されたノズルのうち、主走査方向の両端側に形成されているノズル間の幅に一致した幅となる。
【符号の説明】
【００４７】
１００  インクジェット記録装置
１１０  記録ヘッド
１３０  搬送部
１３２  無端ベルト
１３６  搬送面
１３４Ａ，１３４Ｂ  回転機構
１５０  清掃部
１５２  洗浄パネル
【図１】
2017024215.tif 000003
【図２】
2017024215.tif 000004